(57)【要約】【課題】  内面を鏡面にし、長手方向にスリットを設けた筒状体の端部に光源を置き内面の反射を利用しながら長い範囲で発光させる照明器具で、光源の近くで放射光束量が多く、光源から離れるに従って少なくなる放射光束量を全長に亘って均一化する。【解決手段】  筒状体内部に筒状体の長手方向に延び、スリットに直交する拡散反射板と、長手方向に延びスリットに平行な拡散反射板を置き、スリットから外部に放出される光束量を光源近くで減少させ、光源から離れた位置では増加させて均一化する。【選択図】      図６
2006221820.tif 000002
【特許請求の範囲】
【請求項１】
内面が鏡面で長手方向にスリットが設けられた筒状体の片端または両端に光源を設け、上記スリットから外部に光を放射する照明装置において、上記筒状体の内部に長手方向に延びる光拡散機能のある反射板を、該反射面が上記スリットと直交するように設けることを特徴とする照明装置。
【請求項２】
請求項１の照明装置において、上記筒状体の内部に長手方向に延びる光拡散機能のある反射板を上記スリットと対向かつ平行するように設けることを特徴とする照明装置。
【発明の詳細な説明】
【背景技術】
【０００１】
本発明は内面が鏡面の長い筒状体の一端又は両端に光源を置き、スリットから外部に光を放射する照明装置に関するものである。
【０００２】
筒状体の照明装置は、光源が連続しているように見えるという照明の意匠性と、ランプ交換の頻度を減らすメンテナンス性などを目的に、少ない光源で長い範囲を照明できる装置として提案されている。
【０００３】
図１は光源０１を持つ筒状体０２のスリット０３から該スリットに沿って長い範囲に亘って光を放射する照明装置の構造例を示す。図１ａは光源の構成図で、ランプ３１と背面反射板３２を有する。図１ｂは光源を片側に持つ場合で、末端は末端反射板０４で覆われている。図１ｃは光源を両側に有する場合である。いずれも筒状体０２の内部には鏡面反射材が貼られている。
【０００４】
図２は図１の照明装置の機能原理を説明する図で、光源０１からの光は筒状体０２内を反射を繰り返しながら伝播し、その一部が光線０５となってスリット０３より外部に放射され、一方末端反射板０４まで到達して該反射板で反射された光も、同様に光線０５イとなって放射され、両者で照明機能を果たすようになっている。
【実施例】
【０００５】
図面を参照して本発明の実施の形態を説明する。図５ａ，図５ｂは本発明を適用した筒状体０２の構造断面の一部を示す図で、図５ｃと図５ｄはその部分拡大図である。筒状体０２は図５ａに示す樋形の断面を有する２本の例えばアルミ押出し型材２１から成り、突起部２１ロの部分をリベット２５で相互に締結してある。鏡面反射板２２、例えばドイツアラノッド社製ミロシルバーはアルミ型材２１の溝２１イに差込み固定される。スリット０３には例えばアクリル樹脂の半透明板２４が図５ｂに示すようにアルミ型材２１の溝に嵌めボルト２６により固定され、光の拡散効果を持たせると共に塵埃などの筒状体０２への侵入を防いでいる。拡散反射板０６は筒状体突部２１ロの凹み２１ハに挟み込み固定されている両面が拡散性能を持つ反射板である。また拡散反射板０７には取り付け片２７を部分的に取り付け、筒状体の溝２１イに挟み込み固定している。図６は本発明による光源が筒状体０２両端にある場合の実施例において、筒状体０２を横から見た構造断面の説明図で、図６ａは図６ｂ、図６ｃ、図６ｄ、を説明するための視点を示す図、図６ｂは側面断面図、図６ｃは光源０１付近の図６ｂの拡大図、図６ｄは図６ｃ同様に拡大した平面断面図である。拡散反射板０６は図６ｂのように両方の光源０１から離れた中央部に左右対称な三角形の形で設けられている。これは筒状体中央部が両光源から最も遠く、したがって拡散反射板０６の光量の増加が中央部で最も必要になるからである。拡散反射板０７は光源０１に近いところにスリット０３と接近させて左右対称に設けられている。これは光源０１付近で光量が大きく、したがって光量の減少がこの付近でもっとも必要とされるからである。拡散反射板０７は図６ｄのように二等辺三角形の形で設けられており、光量を減少せしめる必要が少なくなる筒状体０２の中央部にいくほど、幅を狭くしている。なおスリット０３に対して背側に当たる拡散反射板０７の裏面には鏡面反射板を貼ることが効果的である。
【０００６】
図７のように光源０１が筒状体０２の片側にのみ置かれ、末端には末端反射板０４が取り付けられている構造の実施例について説明する。末端反射板０４からの反射光は光源０１からの光より弱いので、スリット０３から放射される光量がもっとも小さくなる部分は末端側に寄ることとなり、したがって拡散反射板０６の形は頂点が光源０１より末端反射板０４側に寄った不等辺三角形となる。同様に拡散反射板０７も、光源側では長く、末端反射板側に設置される該拡散反射板では短い二等辺三角形状になっている。
【図面の簡単な説明】
【０００７】
【図１】本発明に係わる端部に光源を持ち長く発光する照明器具の構造図
【図２】本発明に係わる照明の原理図
【図３】本発明請求項１による拡散反射板の効果の説明図
【図４】本発明本発明請求項２による拡散反射板の効果の説明図
【図５】本発明実施例の部品と組立の長手方向に直角な断面図
【図６】両側に光源がある場合の実施例
【図７】片側だけに光源がある場合の実施例
【発明の開示】
【発明が解決しようとする課題】
【０００８】
しかるに該照明装置は、筒状体０２の中を光が何度も反射して末端に伝わるため、スリットに到達できないで減衰する光線が、光源から離れるにしたがって多くなる。その結果光源０１の付近ではスリット０３から外に出る光束が多く、光源０１から離れるに従って少なくなり、一方、末端反射板０４付近では平面による反射効果で再度出力光束が増えるという、不均一な出力特性を持つ。そのため筒状体０２の長さの制限とともに、照明器具としての用途も限定されている。
【課題を解決するための手段】
【０００９】
本発明はかかる欠点を解消するため、該照明装置の筒状体０２内部の長手方向にわたり、光の拡散効果を持つ拡散反射板を該反射面が上記スリットと直交または平行するように追加設置することにより、長い距離にわたる照度の変化を抑制、均一化しようとするものである。
【００１０】
本発明の請求項１における基本的原理を図３により説明する。図３ａ、図３ｂは筒状体０２の内部における、光の反射、伝播する様子を説明する断面模式図で、光源から発した光線０５ロは、図３ａのようにあらゆる方向に広がりながら、図３ｂのように筒状体０２内部で反射を繰り返しつつ減衰するため、スリット０３に到達する光線０５が末端に行くほど限られてしまう。そこで図３ｃに示すように筒状体０２内部にスリット０３と直交するように、拡散反射板０６を筒状体０２の一部に付加すると、図２で繰り返し反射しながら進んでいくはずの光線０５ロの一部が拡散反射板０６に当り、拡散反射してスリット０３から外部に光線０５ハとして一部が放射される。したがってスリット０３から放射される光量を増す効果が生じる。
【００１１】
本発明の請求項２における基本的原理を図４により説明する。図４ａ、図４ｂ、図４ｃ、は筒状体０２の一断面と光線の反射の様相を示すものである。光源のランプ３１から発した光線は図４ａのようにその一部がスリット０３から放射される。そこで、図４ｂに示すように、ランプ３１とスリット０３の間に当たる位置にスリット０３と平行かつスリットに近接して拡散反射板０７を設置する。そうすると図４ｂに示すように、ランプ３１から発した光線の一部は、拡散反射板０７でさえぎられスリット０３に達しない。図４ｃは筒状体０２を横から見た構成と効果を説明する図で、かかる拡散反射板０７の位置においては、光線０５ホは鏡面反射板２２と拡散反射板０７での反射により、スリット０３から放射されるものの、光線０５ニは該拡散反射板によりさえぎられ、光線０５ヘと変わってしまい、スリット０３から放射されない。したがって該拡散反射板はスリット０３より放射される光量を減少させる効果を生じさせる。なお、光線０５ヘは、その後も反射しつつ伝播し、拡散反射板０７が設けられていないスリット０３の箇所では、その光の一部が外部に放射され有効に利用される。
【発明の効果】
【００１２】
以上のように、本発明においては、筒状体０２の内部に拡散反射板０６，０７を設け、該拡散反射板の幅、長さ、形と筒状体０２の長手方向もしくはそれと直角方向における取り付け位置を変えて組み合わせ用いることにより、光源０１および末端反射板０４付近の強い光線の放射を弱めるとともに、該光源もしくは該末端反射面から離れた、光線放射が弱くなる付近で光線の放射を強めることで、スリットから放射された光による照度変化を抑制し、より均一化する効果を実現できる。したがって連続光源に見えるという、該照明装置の意匠性を生かし、しかも光源を減らす目的が本発明により達成され、長手状に照明を必要とする、街路、地下道、駅ホーム、廊下、建物内部など、該照明装置の適用範囲を著しく拡大することができ、メンテナンス性のよい新たな照明装置を広く提供することができる。  
【符号の説明】
【００１３】
０１  光源
０２  筒状体
０３  スリット
０４  末端反射板
０５  光線（イ〜ホ）
０６  スリットに直交する拡散反射板
０７  スリットに平行な拡散反射板
２１  アルミ押出し型材
２１イ  ２枚のアルミ型材を固定するための突起
２１ロ  同  突起部に０６を固定するために設けた窪み
２１ハ  同  内部に鏡面材２２を固定するための溝
２２  鏡面反射材
２３  通風穴
２４  半透明拡散板
２５  リベット
２６  ボルト・ナット
２７  拡散反射板０７取り付け片
３１  ランプ
３２  背面反射板（リフレクタ）
【図１】
2006221820.tif 000003
【図２】
2006221820.tif 000004
【図３】
2006221820.tif 000005
【図４】
2006221820.tif 000006
【図５】
2006221820.tif 000007
【図６】
2006221820.tif 000008
【図７】
2006221820.tif 000009